(57)【要約】【課題】配電盤内に設置した導体に流れる電流によって磁界が生じても、扉など当該配電盤の覆いを容易に開けることができる配電盤を提供する。【解決手段】前面または後面または側面のいずれかの面の一部または全部が開口している磁性材料で製作した箱体の内部に電流を流す導体を備え、この磁性材料製の筐体の前記開口部分を磁性材料で製作した覆いで閉鎖する構成の配電盤において、前記箱体と覆いとの間の開閉機構に間隔材３を挿入させる機構を設けた構造とする。【選択図】図１
2012125098.tif 000002
【特許請求の範囲】
【請求項１】
前面または後面または側面いずれかの面の一部または全部が開口している磁性材料で製作した箱体の内部に電流を流す導体を備え、この磁性材料製の筐体の前記開口部分を磁性材料で製作した覆いで閉鎖する構成の配電盤において、前記箱体と覆いとの間の開閉機構に間隔材を挿入させる機構を設けたことを特徴とする配電盤。
【請求項２】
請求項１に記載の配電盤において、前記間隔材は非磁性材料からなることを特徴とする配電盤。
【請求項３】
請求項１に記載の配電盤において、前記間隔材の形状は楔形状に形成したことを特徴とする配電盤。
【発明の詳細な説明】
【技術分野】
【０００１】
本発明は、内部に電流を流す導体を備え、磁性材料で製作した箱体と覆いとで閉鎖する配電盤に関する。
【背景技術】
【０００２】
配電盤を構成する材料は、強度が高く加工が容易で低価格であることが望まれる。このような要求に応えることができる最も普遍的な材料が鋼鉄である。しかもこの鋼鉄は強磁性である。そこで以下は、強磁性材料である鋼鉄を使用して配電盤を構成し、この配電盤の内部に配置した導体に電流が流れる場合について説明する。なお、以下では導体に直流電流が流れる場合について説明する。
【０００３】
導体に直流電流を流すと、この導体の周囲に磁気力が働く空間，すなわち磁界を生じるが、この磁界の強さと導体に流れる電流の大きさとは相間している。この導体の周囲は配電盤の構造材である鋼鉄で囲まれていることから、この磁界により生じる磁束は、空気よりもはるかに透磁率が大きい鋼鉄の中を好んで通過しようとする。
【０００４】
ところで配電盤の前面や後面（場合によっては側面）には、内部の機器を保守，点検できるような開口部を設けるのであるが、通常は危険防止のためにこの開口部は閉鎖している。閉鎖の方法は様々であるが、片側に蝶番を備えた扉あるいは吊りかけ式のカバーなどで前記開口部を覆うのが一般的である。交流電流が流れる場合に導体の周囲に発生する磁界は交番磁界である。この交番磁界により配電盤の構造材には交番磁束が通ると、これによりその構造材に渦電流が流れて当該構造材の温度を上昇させるなどの不具合が生じる。そこで交流電流を流す場合は、往路電流が流れる導体とを接近して配置、三相交流では３本の導体を接近して配置するなどにより、構造材が鋼鉄製であっても磁束が通過しないようにしている。
【０００５】
しかし、直流電流の場合は導体が１本であっても発熱などの不具合は発生しないので、往復２本の導体が接近しないように配置する場合がよくある。
【先行技術文献】
【特許文献】
【０００６】
【特許文献１】特開平１１−８９１４号公報
【発明の概要】
【発明が解決しようとする課題】
【０００７】
ところで、前記した従来の配電盤では、導体に電流が流れてこの導体の周囲に磁界が生じるのが原因で、配電盤を構成する筐体と扉とを磁束が通過する場合は、この磁束により筐体と扉との間に吸引力が働く。この吸引力が大きければ扉が開かなくなるし、吸引力が余り大きくない場合でも、扉を容易に開けられない等の不具合を生じることがある。
【０００８】
本発明は上記の点に鑑みなされたものであり、配電盤内に設置した導体に流れる電流によって磁界が生じても、扉など当該配電盤の覆いを容易に開けることができる配電盤を提供することを目的とする。
【課題を解決するための手段】
【０００９】
上記目的を達成するために、本発明によれば、前面または後面または側面いずれかの面の一部または全部が開口している磁性材料で製作した箱体の内部に電流を流す導体を備え、この磁性材料製の筐体の前記開口部分を磁性材料で製作した覆いで閉鎖する構成の配電盤において、前記箱体と覆いとの間の開閉機構に間隔材を挿入させる機構を設けた構造とする（請求項１）。
【００１０】
また、上記の配電盤において、次記のような態様で構成することができる。
（１）前記間隔材は非磁性材料とする（請求項２）。
（２）前記間隔材の形状は、挿入方向の厚みが薄い楔形状にする（請求項３）。
【発明の効果】
【００１１】
上記の構成によれば、配電盤内に設置された導体に電流が流れる際の磁束が、磁性材料で構成した筐体から同じく磁性材料でなる覆いを通過する際の吸引力で、この覆いが開かなくなる恐れがあるが、筐体と覆いとの間の開閉機構に非磁性材料からなる間隔材を挿入させる機構を設けたことで、この部分を通過する磁束の両を減少させるとともに、間隔を増大させて吸引力を大幅に減少させている。それにより、覆いが開かなくなる、あるいは開けにくくなるという不具合を回避することが可能となる。
【図面の簡単な説明】
【００１２】
【図１】本発明の実施例を示すハンドル部の斜視図
【図２】本発明の実施例を示す扉閉時の扉内側の斜視図
【図３】本発明の実施例を示す扉閉時の扉外側の斜視図
【図４】本発明の実施例を示す扉開動作時の扉内側の斜視図
【図５】本発明の実施例を示す扉開動作時の扉外側の斜視図
【図６】本発明の実施例を示す扉開時の扉内側の斜視図
【図７】本発明の実施例を示す扉開時の扉外側の斜視図
【図８】本発明の配電盤の全体斜視図
【図９】本発明の配電盤の磁束の流れを示す斜視図
【図１０】従来例を示すハンドル部の斜視図
【発明を実施するための形態】
【実施例１】
【００１３】
以下、本発明の実施の形態を図１〜図９に示す実施例に基づいて説明する。なお、図１０に対応する部材には同じ符号を付してその説明は省略する。
図１は、本発明のハンドル部を示した斜視図である。図２は、本発明の扉閉時の扉内側を示した斜視図で、図３は、本発明の扉閉時の扉外側を示した斜視図である。図４は、本発明の扉開動作時の扉内側を示した斜視図で、図５は、本発明の扉開動作時の扉外側を示した斜視図である。図６は、本発明の扉開時の扉内側を示した斜視図であり、図７は、本発明の扉開時の扉外側を示した斜視図である。図８は、本発明の配電盤を示した斜視図である。図９は、本発明の配電盤の磁束の流れを示した斜視図である。
【００１４】
すなわち図１に示す実施例において、配電盤７に備えたハンドル１のハンドル軸部１ａに配電盤７の箱体５と扉４との間に挿入する間隔材３が設けられている。この間隔材３は、扉４と筐体５との間に挿入しやいすように、楔状に形成されている。
【００１５】
図２，図３は、扉４が閉じている状態を示しており、扉４を閉めている状態では、間隔材３は扉４や筐体５には干渉していない状態である。この扉４を開けるためには、図４，図５に示すように、ハンドル１を回転させると、ハンドル１のハンドル軸部１ａに設けた間隔材３が扉４と筐体５の間に挿入されていく。これによって、扉４と筐体５との間隔はこの間隔材３の厚み分だけ増大する。吸引力は隙間の２乗に逆比例することから、吸引力は大幅に減少する。
【００１６】
この状態から更に図６，図７に示すように、ハンドル１を回転させると吸引力の減少効果は更に大きくなり、扉４が開かなくなる恐れは解消される。
更に、図８，図９に本発明の配電盤を示し、図９には電流８の流れる向きと磁束９の向きを示す。ここで間隔材３はその透磁率が空気と同じ程度の小さな値であることから、鋼鉄中を通る磁束の磁気抵抗が増加する。そのため、全磁束中で鋼鉄中を通る磁束の割合が減少することから、これによっても扉４と筐体５との間の吸引力は減少し、扉４が開かなくなる恐れは解消される。
【符号の説明】
【００１７】
１      ハンドル
１ａ    ハンドル軸部
２      扉ロックキー
３      間隔材
４      扉
５      筐体
６      導体
７      配電盤
８      電流の向き
９      磁束の向き
【図１】
2012125098.tif 000003
【図２】
2012125098.tif 000004
【図３】
2012125098.tif 000005
【図４】
2012125098.tif 000006
【図５】
2012125098.tif 000007
【図６】
2012125098.tif 000008
【図７】
2012125098.tif 000009
【図８】
2012125098.tif 000010
【図９】
2012125098.tif 000011
【図１０】
2012125098.tif 000012